(57)【要約】【課題】本発明は、前側熱交換器部の熱交換容量が上側熱交換器部よりも大の熱交換器を備え、前面吸込み口の空気通過量を上面吸込み口よりも小で構成するものにおいて、前面吸込み口の通過空気量の増大化を図り、熱交換器の熱交換性能の向上化を得られる空気調和機の室内機を提供する。【解決手段】室内機本体１は内部に前側熱交換器部８Ａと上側熱交換器部８Ｂとからなる熱交換器８および送風機１０を収容し、前面吸込み口４と上面吸込み口５は室内機本体の前面部と上面部に熱交換器と対向して開口され、固定枠１６は各吸込み口と熱交換器との間に介設され前面吸込み口と上面吸込み口に対向して前面エアフィルタ１７と上面エアフィルタ２０を支持し、エアフィルタ清掃機構Ｓは前面エアフィルタと上面エアフィルタとの間に沿って設けられ各エアフィルタを往復移動させて付着している塵埃を除去し、分流案内口２５は固定枠に設けられ上面吸込み口から吸込まれた室内空気の一部を前側熱交換器部の前面吸込み口側へ分流案内する。【選択図】    図１
2009103329.tif 000002
【特許請求の範囲】
【請求項１】
内部に、前側熱交換器部と上側熱交換器部とからなり側面視で逆Ｖ字状に形成される熱交換器および、この熱交換器の前側熱交換器部と上側熱交換器部との間に配置される送風機を収容する室内機本体と、
この室内機本体の前面部と上面部に、前記熱交換器と対向して開口され、それぞれが前記送風機の作用にともなって室内空気を吸込み案内する前面吸込み口および上面吸込み口と、
これら前面吸込み口および上面吸込み口と前記熱交換器との間に介設され、前面吸込み口と上面吸込み口にそれぞれ対向して、前面エアフィルタと上面エアフィルタを支持する固定枠と、
この固定枠に支持される前面エアフィルタと上面エアフィルタとの間に沿って設けられ、各エアフィルタを往復移動させて各エアフィルタに付着している塵埃を除去するエアフィルタ清掃機構と、
前記固定枠に設けられ、上面吸込み口から吸込まれた室内空気の一部を前記熱交換器における前側熱交換器部の前面吸込み口側へ分流案内する分流案内口と
を具備することを特徴とする空気調和機の室内機。
【請求項２】
上記熱交換器を構成する前側熱交換器部の風上側に、前面吸込み口および分流案内口を介して導入される室内空気を清浄化する空気清浄機ユニットを配置したことを特徴とする請求項１記載の空気調和機の室内機。
【請求項３】
上記分流案内口に、分流案内口を流通する室内空気に含まれる露の通過を阻止するルーバーが設けられることを特徴とする請求項１記載の空気調和機の室内機。
【発明の詳細な説明】
【技術分野】
【０００１】
本発明は、室内空気の吸込み案内構造を改良した空気調和機の室内機に関する。
【背景技術】
【０００２】
空気調和機の室内機には、筐体である室内機本体内に熱交換器と送風機が収容され、送風機の送風作用にともなって室内機本体に開口する吸込み口から吸込まれた室内空気を熱交換器に導通させて熱交換する。熱交換したあとの室内空気は室内機本体に開口する吹出し口から吹出されて、室内の空気調和作用をなす。
【０００３】
前記熱交換器は、多数枚のフィンを狭小の間隙を存して並置し、これらフィンを冷媒管である熱交換パイプで貫通するフィンチューブタイプのものが用いられる。当初は、側面視でＩ字状をなし、いわゆる平板状のものであったが、近時は前側熱交換器部と上側熱交換器部とからなり、側面視で略逆Ｖ字状に形成されるものが主流を占めている。
【０００４】
また、室内に浮遊する微細なチリ・ホコリ・花粉・菌類等（以下総称して、「塵埃」と呼ぶ）が、室内空気とともに室内機本体に吸込まれて熱交換器に付着する。長時間放置すると堆積してカビや悪臭の発生要因となり、熱交換効率の低下を招いてしまう。したがって、吸込み口には塵埃を捕捉するためのエアフィルタが取付けられる。
【０００５】
このエアフィルタにおいても、長期の使用により付着した塵埃が室内空気の流通を妨げるので、適宜、エアフィルタから塵埃を除去しなければならない。ところが、室内機は壁面高所に取付けられる壁掛けタイプが多く、メンテナンス作業がし難い。これを解決したのが、たとえば［特許文献１］に記載される空気調和機の室内機である。
【特許文献１】特開２００７−１５５２４１号公報
【発明の開示】
【発明が解決しようとする課題】
【０００６】
［特許文献１］は、固定枠に前面エアフィルタと上面エアフィルタを支持し、かつこれらエアフィルタ相互間にエアフィルタ清掃機構を備えている。エアフィルタ清掃機構は各エアフィルタを交互に往復移動させ、清掃機構通過中に塵埃を除去して屋外へ排出する。エアフィルタ清掃作業が自動化され、ユーザの手を煩わすことが無い。
【０００７】
しかしながら、エアフィルタ清掃機構を備えることによる影響も生じている。略逆Ｖ字状をなす熱交換器は、構造上、前側熱交換器部が上側熱交換器部よりも熱交換面積が大で、熱交換容量が大である。一方、室内機本体には、前面エアフィルタに対向して前面吸込み口が開口され、上面エアフィルタに対向して上面吸込み口が開口される。
【０００８】
前面吸込み口は室内に露出し、そのままでは美観を損なうから、可動パネルを設けて開閉する。空調運転時は、可動パネルを前面パネルから突出させ、可動パネルと前面パネルとの隙間から室内空気を吸込み案内する。これに対して、上面吸込み口は室内機本体が壁面高所に取付けられることもあって居住人から見ることができない。
【０００９】
したがって、上面吸込み口は全面的に開口している。このため、上面吸込み口を通過する空気量は前面吸込み口を通過する空気量に比べ大きくすることが容易であるが、前面側は、可動パネルの周囲にできる開口面積で吸込み量が決定される。  
従来は、可動パネルを前面パネルから大きく突出させることで、前面側の吸込口の面積を大きくして前面側から吸引する空気の量を確保しているが、このため可動パネルの繰り出し量が大きくなり、可動パネルを支持するための可動機構が大型化していた。
【００１０】
本発明は上記事情にもとづきなされたものであり、その目的とするところは、略逆Ｖ字状に形成される熱交換器で、前側熱交換器部の熱交換容量が上側熱交換器部の熱交換容量よりも大である一方で、前面吸込み口の可動パネルの前面繰り出し量を大きくせずに、前側熱交換器部に流通する空気量の増大化を図って単位面積当たりの熱交換量を増大させ、熱交換器としての熱交換性能の向上化を得られる空気調和機の室内機を提供しようとするものである。
【課題を解決するための手段】
【００１１】
上記目的を満足するため本発明の空気調和機の室内機は、室内機本体は内部に前側熱交換器部と上側熱交換器部とからなり側面視で逆Ｖ字状に形成される熱交換器および前側熱交換器部と上側熱交換器部との間に配置される送風機を収容し、前面吸込み口および上面吸込み口は室内機本体の前面と上面に熱交換器と対向して開口されそれぞれが送風機の作用にともなって室内空気を吸込み案内し、固定枠は室内機本体の前面吸込み口および上面吸込み口と熱交換器との間に介設され前面吸込み口と上面吸込み口にそれぞれ対向して前面エアフィルタと上面エアフィルタを支持し、エアフィルタ清掃機構は固定枠に支持される前面エアフィルタと上面エアフィルタとの間に沿って設けられ各エアフィルタを往復移動させて各エアフィルタに付着している塵埃を除去し、分流案内口は固定枠に設けられ上面吸込み口から吸込まれた室内空気の一部を熱交換器における前側熱交換器部の前面吸込み口側へ分流案内する。
【発明の効果】
【００１２】
本発明によれば、前側熱交換器部に流通する空気量の増大化を図って単位面積当たりの熱交換量を増大させ、熱交換器としての熱交換性能の向上化を得られる効果を奏する。
【発明を実施するための最良の形態】
【００１３】
以下、図面を参照しながら、本発明の実施の形態について詳細に説明する。  
図１は空気調和機の室内機に係る概略の縦断面図、図２は同じ空気調和機の室内機の可動パネルを開放した状態での斜視図である。（なお、説明中に符号を付していない部品は図示していない。以下同じ）  
室内機本体１は、前側筐体を構成する前面パネル２と、後板筐体３とから構成され、上下方向に対し幅方向に横長状をなす。室内機本体１の前面側一部に前面吸込み口４が開口され、この前面吸込み口４に対向する前面パネル２には開閉駆動機構に支持される可動パネル２Ａが嵌め込まれている。
【００１４】
図１に実線で示すような運転停止の状態では、上記可動パネル２Ａは前面パネル２表面に接合して同一面となり前面吸込み口４を閉成する。空調運転時には、図１に二点鎖線で示し、図２に示すように可動パネル２Ａは手前側に突出して、前面パネル２との隙間を介して前面吸込み口４が室内に対して開放するよう制御される。
【００１５】
室内機本体１の上部には上面吸込み口５が設けられる。この上面吸込み口５には枠状の桟が嵌め込まれていて、複数の空間部に仕切られている。すなわち、上面吸込み口５は常時、全面的に開口された吸込み部となっている。これに対して先に説明した前面吸込み口４は、突出した可動パネル２Ａと前面パネル２との隙間が、実質的な吸込み部となる。
【００１６】
一方、上面吸込み口５は室内機本体１が壁面高所に取付けられることもあって居住人から見ることができない。したがって、一般的に前面吸込み口４のように可動パネル２Ａを取付けることなく常に開口した状態としている。  
ただし、空調運転時は上述の構成から、可動パネル２Ａと前面パネル２との隙間を介して前面吸込み口４を流通する空気量よりも、全面的に開口状態にあり全面が吸込み部をなす上面吸込み口５を流通する空気量を、大きく取ることが容易にできる。
【００１７】
上記室内機本体１の前面下部には吹出し口６が開口され、この吹出し口６には２枚の吹出しルーバー７ａ，７ｂが並行して設けられる。各吹出しルーバー７ａ，７ｂは、それぞれの回動姿勢によって上記吹出し口６を開閉し、かつ運転条件に応じて熱交換空気の吹出し方向を設定できるようになっている。
【００１８】
室内機本体１内には、前側熱交換器部８Ａと後側熱交換器部８Ｂとで略逆Ｖ字状に形成される熱交換器８が配置される。前側熱交換器部８Ａは前面パネル２と間隙を存してほぼ平行な湾曲状に形成され、前面吸込み口４と上面吸込み口５に対向する。後側熱交換器部８Ｂは直状に形成され、上面吸込み口５と斜めに傾斜して対向する。
【００１９】
上記熱交換器８を構成する前側熱交換器部８Ａと後側熱交換器部８Ｂとの相互間に、室内送風機１０が配置される。上記室内送風機１０は、室内機本体１の一側端のスペースに配置されたファンモータと、このファンモータの回転軸に一方の支軸が連結される横流ファンとから構成される。
【００２０】
上記前側熱交換器部８Ａの下端部は前ドレンパン１２ａ上に載り、上記後側熱交換器部８Ｂの下端部は後ドレンパン１２ｂ上に載る。前、後ドレンパン１２ａ，１２ｂは、それぞれの熱交換器部８Ａ，８Ｂから滴下するドレン水を受け、図示しない排水ホースを介して外部に排水できるようになっている。
【００２１】
前、後ドレンパン１２ａ，１２ｂの一部側壁外面は室内送風機１０に近接して設けられ、室内送風機１０の横流ファンに対するノーズを構成している。前後ドレンパン１２ａ，１２ｂの側壁部分と吹出し口６の各辺部との間は隔壁部材１４によって連結され、この空間がノーズと吹出し口９とを連通する吹出し通風路１５となっている。
【００２２】
一方、上記前面パネル２と熱交換器８との間に固定枠１６が介在されていて、この固定枠１６は取付け具を介して前面パネル２に取付けられる。固定枠１６は、周囲枠体と補助枠体とから形成されていて、前面吸込み口と上面吸込み口に対向して開口する開口面積が確保されている。
【００２３】
前記固定枠１６の前面部には、前面エアフィルタ１７と、この内側に二次エアフィルタである空気清浄機ユニット１８が取付けられる。すなわち、前面エアフィルタ１７および空気清浄機ユニット１８は、前面吸込み口４と熱交換器８を構成する前側熱交換器部８Ａとの間に介設される。
【００２４】
さらに、固定枠１６の上面部には上面エアフィルタ２０が取付けられる。この上面エアフィルタ２０は、上面吸込み口５と前側熱交換器部８Ａ一部および後側熱交換器部８Ｂとの間に介設されることになる。  
上記空気清浄機ユニット１８は、左右に並設される電気集塵機と集塵機電源部からなる。各電気集塵機は、流通する空気中の塵埃に電荷を与える荷電側電極と、電荷を与えられた塵埃を捕捉する集塵側電極を備えている。各電極表面には、空気に含まれる臭いの成分を吸着する脱臭剤が塗布され、電気集塵機として集塵機能と脱臭機能を併せ有する。
【００２５】
一方、前面エアフィルタ１７の上端と上面エアフィルタ２０の前端との間に沿って、エアフィルタ清掃機構Ｓが取付けられる。このエアフィルタ清掃機構Ｓは、前面エアフィルタ１７および上面エアフィルタ２０の幅方向長さと同一の幅方向長さに形成され、前後方向にある程度の厚み寸法を有している。
【００２６】
上記エアフィルタ清掃機構Ｓは前面吸込み口４と上面吸込み口５との間の部位に配置されていて、前面パネル２における前面部と上面部とが交差する角部内となる。したがって、エアフィルタ清掃機構Ｓは、前面パネル２と熱交換器８との間に必然的に形成されるデッドスペースに配置される。
【００２７】
さらに、上記固定枠１６と、エアフィルタ清掃機構Ｓについて説明する。  
図３は固定枠１６の斜視図、図４は固定枠１６に取付けられるエアフィルタ清掃機構Ｓと、その周辺一部の斜視図である。図３では、前面エアフィルタ１７、上面エアフィルタ２０、エアフィルタ清掃機構Ｓを概略的に示しているが、空気清浄機ユニット１８は省略している。
【００２８】
上記固定枠１６には、前面エアフィルタ１７が上方へ移動自在に支持されるとともに、前面エアフィルタ１７の前面側に上面エアフィルタ２０を収納可能である。固定枠１６の上面側開口部には、上面エアフィルタ２０が前方へ移動自在に支持されるとともに、上面エアフィルタ２０の上面側に前面エアフィルタ１７を収納可能である。
【００２９】
上記室内機本体１の前面パネル２を開放すれば、各前、上面エアフィルタ１７，２０は固定枠１６から容易に着脱自在となっている。また、空気清浄機ユニット１８を構成する一対の電気集塵機も固定枠１６から容易に着脱自在である。上記エアフィルタ清掃機構Ｓは一部を除いて、固定枠１６から着脱自在となるよう構成される。
【００３０】
特に、図３に示すように、固定枠１６の一側部で、上記エアフィルタ清掃機構Ｓと対向する部位には、エアフィルタ清掃機構Ｓの駆動部２１が取付けられる。この駆動部２１とは反対側の固定枠１６側部には排気ユニットが取付けられる。排気ユニットは、エアフィルタ清掃機構Ｓが収集した塵埃を吸引し、屋外へ自動的に排出する機能を備えている。
【００３１】
さらに、固定枠１６は両側部を除く、両側部間において、エアフィルタ清掃機構Ｓを支持する部位の下端部から斜めに折曲形成される仕切り部２３が設けられる。この仕切り部２３が、固定枠１６の前面吸込み口４と対向する部位と、上面吸込み口５と対向する部位の仕切りをなす。
【００３２】
固定枠１６における仕切り部２３に、上下方向に沿って所定間隔を存し、かつ室内機本体１の幅方向に亘って複数の矩形状孔部からなる分流案内口２５が設けられる。これら分流案内口２５には、それぞれ切起しからなるルーバー２６が一体に形成される。各ルーバー２６は仕切り部２３から前面吸込み口４側へ突出している。
【００３３】
すなわち、仕切り部２３に分流案内口２５を備えることによって、上面吸込み口５側と前面吸込み口４側が連通される。分流案内口２５にルーバー２６が前面吸込み口４側へ突出して設けられているので、上面吸込み口５側から前面吸込み口４側への空気の流通は円滑であるが、前面吸込み口４側から上面吸込み口５側へは空気の流通が遮られる。
【００３４】
また、高温多湿の空気が前面パネル２の上面吸込み口５部分を通過する際に、空気中に含まれる水分である露が格子部分に結露し、その露が吸込み空気に混在することがある。上面吸込み口５側から前面吸込み口４側へ導かれる空気中に露が混在すると、露はルーバー２６に接触して通過を遮られ、空気のみが円滑に前面吸込み口４側に流通する。
【００３５】
一方、上記エアフィルタ清掃機構Ｓは、駆動部に機械的に連結される回転ブラシ３０と、この回転ブラシ３０を収容するとともに塵埃受け通路３１を備えたダストボックス３２と、ダストボックス３２に設けられる開口部３３を開閉自在なシール部材３４とから構成される。
【００３６】
前記回転ブラシ３０は、前記駆動部２１によって回転駆動され、その毛先が進行してくる前面エアフィルタ１７もしくは上面エアフィルタ２０に接触するよう設けられる。前記塵埃受け通路３１は回転ブラシ３０に沿って形勢されていて、回転ブラシ３０が掻き落した塵埃を受ける位置にあり、この一端部は、前述した排気ユニットに連通する。
【００３７】
上記ダストボックス下面に開口部３３が設けられ、ここから回転ブラシ３０の一部が露出する。上記シール部材３４は、たとえば合成ゴムなどの柔軟な弾性材から形成され、リフト機構に支持される。通常、シール部材３４は開口部３３から露出する回転ブラシ３０部分と離間する位置にあり、リフト機構が作動することで開口部３３を閉塞できる。
【００３８】
なお、ダストボックス３２における、塵埃受け通路３１と回転ブラシ３０との間には掻き落し用突部３５が突設される。この掻き落し用突部３５は常時、回転ブラシ３０の毛先内に挿入していて、回転ブラシ３０の回転にともなって毛先が摺接する位置にあり、回転ブラシ３０に付着する塵埃を効率よく掻き落しできる。
【００３９】
つぎに、このようにして構成される空気調和機の室内機における作用について説明する。  
使用者がリモコン（遠隔操作盤）の運転ボタンを押圧操作すると、可動パネル２Ａが前面吸込み口４を開放するとともに、室内送風機１０が駆動し、空気清浄機ユニット１８が作用する。同時に、室内機と連通する室外機において圧縮機が駆動して冷凍サイクル運転が開始される。
【００４０】
室内空気は、前面吸込み口４と上面吸込み口５から室内機本体１内に導かれ、さらに前面エアフィルタ１７および上面エアフィルタ２０を通過する。このとき、室内空気中に含まれる塵埃が前面エアフィルタ１７および上面エアフィルタ２０に捕捉される。前面エアフィルタ１７で塵埃が除去された室内空気は空気清浄機ユニット１８を通過し、より微細な塵埃が電気的に集塵され、かつ脱臭される。
【００４１】
清浄化した室内空気は熱交換器８を流通し、ここに導かれる冷媒と熱交換作用が行われる。そのあと、熱交換空気は吹出し通風路１５に沿って導かれ、吹出し口６から吹出しルーバー７ａ，７ｂに案内されて室内へ吹出される。したがって、室内に対する効率のよい空調作用が継続される。
【００４２】
上記固定枠１６に仕切り部２３を設けたところから、そのままでは仕切り部２３は前面吸込み口４から前面エアフィルタ１７を介して導かれた室内空気と、上面吸込み口５から上面エアフィルタ２０を介して導かれた室内空気とを分離して、熱交換器８に流通案内する。しかしながら、ここでは仕切り部２３に分流案内口２５を設けている。
【００４３】
上述したように、上面吸込み口５は全面的に開口されているのに対して、前面吸込み口４は前面パネル２と可動パネル２Ａとの隙間が実質的な開口部となる。そのため、一般的に行われる可動パネル２Ａの開度状態においては、上面吸込み口５から室内機本体１内に導かれる空気量は、前面吸込み口４から室内機本体１内に導かれる空気量よりも大きくなるように構成される。
【００４４】
これに対して、熱交換器８は前側熱交換器部８Ａと上側熱交換器部８Ｂとで側面視で逆Ｖ字状に形成され、熱交換容量は上側熱交換器部８Ｂよりも前側熱交換器部８Ａの方が大きくなるように構成されている。熱交換器８の熱交換量は通風量に比例するから、この状態においては、可動パネル２Ａとの隙間からのみの吸込み空気量では、通風量の少ない前側熱交換器部８Ａの単位面積当たりの熱交換量が、通風量の多い上側熱交換器部８Ｂの熱交換量よりも少ない。
【００４５】
これに対し、上記仕切り部２３に分流案内口２５を設けたので、上面吸込み口５から上面エアフィルタ２０を通過した室内空気の一部が分流案内口２５に分流される。そして、分流案内口２５から前側熱交換器部８Ａの吸込み側に導かれ、前面吸込み口４から前面エアフィルタ１７に導かれた室内空気と合流する。
【００４６】
結果として、上側熱交換器部８Ｂに導かれる空気量が減少する一方で、前側熱交換器部８Ａに導かれる空気量が増大する。上側熱交換器部８Ｂに送られる空気量は減少するが、上側熱交換器部８Ｂで必要とする空気量は十分確保できるため、上側熱交換器部８Ｂでの熱交換量を低下させることなく、前側熱交換器部８Ａでの熱交換量の向上を得られ、熱交換器８全体としての熱交換性能を高めることができる。
【００４７】
一方、使用者がリモコンの「エアフィルタ掃除モード」を選択する、もしくは所定の期間毎で空調運転の終了後、もしくは予め設定された時間、もしくは予め決められた時間帯などに、エアフィルタ清掃機構Ｓが作動する。駆動部２１へ駆動信号が送られて前面エアフィルタ１７が上昇駆動されるとともに、回転ブラシ３０が回転駆動される。
【００４８】
前面エアフィルタ１７はエアフィルタ清掃機構Ｓを通過し、このとき回転ブラシ３０は前面エアフィルタ１７に摺接して付着している塵埃を掻き落す。一旦、固定枠１６の最上端へ移動した前面エアフィルタ１７は降下してエアフィルタ清掃機構Ｓを通過し、このときも付着している塵埃が掻き落される。
【００４９】
前面エアフィルタ１７が往復動してエアフィルタ清掃機構Ｓを通過中に付着する塵埃が全て除去されたあとは、同様に、上面エアフィルタ２０が往復動してエアフィルタ清掃機構Ｓを通過中に付着していた塵埃が全て除去される。除去された塵埃は塵埃受け通路３１を介して排気ユニットに導かれ、全て屋外へ排出される。
【００５０】
本発明においては、前側熱交換器部８Ａの熱交換容量が上側熱交換器部８Ｂの熱交換容量よりも大である熱交換器８において、前面吸込み口４から前面エアフィルタ１７を介して前側熱交換器部８Ａに導かれる空気量に加え、上面吸込み口５から上面エアフィルタ２０を介して上面熱交換器部８Ｂに導かれる空気量の一部を前側熱交換器部８Ａに導かれるように構成させた。
【００５１】
すなわち、固定枠１６に分流案内口２５を設けて、上面吸込み口５から上面エアフィルタ２０Ｂを流通した室内空気の一部を前面熱交換器部８Ａの吸込み側に分流案内した。これにより、上面熱交換器部８Ｂの熱交換に必要な空気量を確保しつつ、前面熱交換器部８Ａにおける熱交換量を増大したことで、熱交換器８全体としての熱交換性能の向上化を図れることとなる。
【００５２】
さらに、本発明においては熱交換器８を構成する前側熱交換器部８Ａの風上側に空気清浄機ユニット１８を配置した。すなわち、空気清浄機ユニット１８は前面エアフィルタ１７を通過した微細な塵埃を電気的に捕捉し、集塵するためのものであるが、その集塵量は通風量に比例する。
【００５３】
そこで、上面吸込み口５から上面エアフィルタ２０を通過した室内空気を分流案内口２５から空気清浄機ユニット１８に導くようにした。このことで、空気清浄機ユニット１８には、前面吸込み口４と前面エアフィルタ１７を通過した室内空気と、分流案内口２５から導かれる室内空気が合流して導かれ、通風量が増大して集塵効率の向上化を得られる。
【００５４】
上記固定枠１６に開口する分流案内口２５に沿ってルーバー２６を設けたから、上面吸込み口５から上面エアフィルタ２０に導かれた室内空気に露が含まれていても、分流案内口２５を通過する際にルーバー２６に衝突して落下する。すなわち、ルーバー２６は室内空気のみを前側熱交換器部８Ａの吸込み側へ流通させ、露の流通は阻止するので、室内に露が飛散することはなく快適性を保持する。
【００５５】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００５６】
【図１】本発明の実施の形態に係る、空気調和機を構成する室内機の概略縦断面図。
【図２】同実施の形態に係る、空気調和機の室内機の可動パネルを開放した状態での斜視図。
【図３】同実施の形態に係る、固定枠の斜視図。
【図４】同実施の形態に係る、固定枠の断面図。
【符号の説明】
【００５７】
８Ａ…前側熱交換器部、８Ｂ…上側熱交換器部、８…熱交換器、１…室内機本体、４…前面吸込み口、５…上面吸込み口、１７…前面エアフィルタ、２０…上面エアフィルタ、１６…固定枠、Ｓ…エアフィルタ清掃機構、２５…分流案内口、１８…空気清浄機ユニット、２６…ルーバー。
【図１】
2009103329.tif 000003
【図２】
2009103329.tif 000004
【図３】
2009103329.tif 000005
【図４】
2009103329.tif 000006